(57)【特許請求の範囲】
【請求項１】
植え込みの対応する部材と係合するため第1の端に複数の駆動平面で終端する内側スリーブと、
内側スリーブの外面と係合するように適合され、上方および下方部分を含む分割外側スリーブと、
前記植え込みに組立体を締付けるように適合された固定ねじであって、使用中に固定ねじの引き抜きが内側スリーブを引き抜かせることを許容し、外側スリーブの上方部分が下方部分から分離することを許容する、固定ねじとを含む、
印象ジグ組立体。
【請求項２】
内側スリーブが植え込みに形成された凹所内の駆動平面と作動的に結合するため、その外側下方部分に少なくとも１つの駆動平面を含む請求項１に記載の組立体。
【請求項３】
内側スリーブが中央穴と複数の駆動平面を有し、前記スリーブの外側形状がその外側長さに亘って全体的に変化しない請求項２に記載の組立体。
【請求項４】
下方外側スリーブの下方の外側部分が外側にテーパーを設けられ、植え込みの対応する部分と相互適合するように適合される請求項２または３のどちらかに記載の組立体。
【請求項５】
第1の端から離れた内側スリーブの部分が固定ねじに対応してねじ切りされた部分と相互係合可能にねじ切りされたねじを含む請求項１乃至４のいずれかに記載の組立体。
【請求項６】
固定ねじがアレンキーによって駆動される請求項１乃至５のいずれかに記載の組立体。
【請求項７】
外側スリーブの上方部分の外側面がぎざぎざにされた請求項１乃至６のいずれかに記載の組立体。
【請求項８】
固定ねじの締付け動作は、固定ねじのフランジ部分が内側および外側スリーブの両方の上方端にわたって延在することを提供することにより達成される請求項１乃至７のいずれかに記載の組立体。
【請求項９】
内側および外側スリーブ間の係合が滑動隣接である請求項１乃至８のいずれかに記載の組立体。
【発明の詳細な説明】
【０００１】
本発明は印象ジグ組立体に係り、特に他の再構成手順と同様に歯の植え込み手術の間に使用するに適した印象ジグ組立体に関係する。
【０００２】
植え込みが固着可能な樹脂または他の固着可能な構成を利用する口腔または他の部分に取られるとき、口腔または身体の他の部分から除去することがしばしば困難であり、特に１つ以上の印象ジグが利用されているならば、印象ジグが正常な位置に印象を保持する傾向があるので困難である。
【０００３】
以前、これは、複数の内部駆動平面を備えかつ植え込みの軸線の面におよそ４５°の角度で傾いたテーパーをその開口に向ける内部の穴に植え込みを設けることによりアドレスされた。それから印象ジグが植え込みに細長いボルトまたはねじにより固定され、それがそれ自身植え込みから容易に分離することができるので、印象が硬化された印象構成とともに取られた後除去される。
【０００４】
以下に“内部に六角形にされた植え込み”として引用されるかかる植え込みの問題は、駆動平面が比較的小さく、それらが過程の初期の段階中盲穴に挿入の間に植え込みを回転させるのに使用されるので、それらを製造するのが困難なことであり、利用される駆動平面がより大きい直径を有することが好ましい。このような植え込みは“外部六角形”植え込みと呼ばれる。
【０００５】
外部六角形植え込みを使用する結果は、印象を作った後、印象ジグを取り外すことが、不可能ではないにしても、困難になることであり、特に植え込みが印象の引き離しの方向に角度をもって配列されるときそうである。これは１つ以上の植え込み含まれるとき特に困難である。外部の六角形（駆動平面）は結果としての印象の取り外しを妨害する傾向があり、植え込みに関する印象の相対的な横の運動が外部の六角形の植え込みおよびそれに接触するスリーブの相互係合の長所により排除されるので、前記技術の利用は不適当である。
【０００６】
従って、本発明は、植え込みに対応している部材と係合のため複数の駆動平面の第1の端で終端する内側スリーブと、内側スリーブの外面と係合するように適合された分割外側スリーブとを含み、前記外側スリーブが上方の部分と下方の部分を含み、固定ねじが植え込みに組立体を締結するように適合され、それにより使用の際固定ねじの引き抜きが内側スリーブを引き抜くことを可能にし、外側スリーブの上方の部分が下方の部分から分離することを許容する、印象ジグ組立体を提供する。
【０００７】
発明の好ましい形として、第1の端から離れた内側スリーブの部分は固定ねじの対応しているねじと相互係合可能なねじを切られた部分を含む。したがって、内側スリーブのヘッドのねじを切られた部分および固定ねじの軸の端が相互係合するまで固定ねじを引き抜くことにより、内側スリーブは引き抜かれ、それは外側スリーブの上方部分が下方部分から分離することを許容する。好ましくは固定ねじはアレンキーにより駆動される。外側スリーブの上方部分の外面はぎざぎざにされ、それに対し下方の部分は本質的には平らであることが好ましい。
【０００８】
固定ねじの締結作用は、固定ねじのフランジ部分が内側および外側スリーブの両方の上端に亘って延在することを提供することにより達成される。内側および外側スリーブ間の係合は好ましくは共通に形成されたスリーブの滑動相互係合である。
【０００９】
発明の代替形式において、内側スリーブは少なくともその外側下部に駆動平面を含んでもよい。好ましくは、内側スリーブはしばしば数６の平面を有し、それは回転の協働駆動力を提供することにより、使用時に植え込みの中央穴に関して対応する部分の内部面と協働する。この配列は駆動平面の直径を比較的増加させる。特定の好ましい実施例において、下方の外側スリーブの下方外部は外側にテーパーを設けられ、植え込みの中央穴の周りの対応する部分と相互適合するように適応され、その配列は駆動平面および対応しているテーパーが回転中植え込みを駆動するように結合するようにする。外側駆動平面はまた植え込みの最終段階中、支台歯および他の構成要素部品の回転を防止するロケータ手段を提供することが認識されるであろう。
【００１０】
本発明の他の態様において、同軸の上方および下方スリーブ部材を有する分割スリーブと、植え込みに分割スリーブを締結する固定ねじであり、この固定ねじが分割スリーブを貫通し、使用時に固定ねじの引き抜きが上方スリーブ部材を下方スリーブ部材から分離させる固定ねじとを備え、骨植え込みに結合するための印象ジグ組立体を提供する。
【００１１】
発明は添付図面を参照して図解の方法で記述される。
【００１２】
図１および２において、印象ジグ組立体１はそれぞれ後で参照される内側および外側スリーブ７および１５の上端と相互係合するフランジ表面４を含む締付けねじヘッド２を備える。
【００１３】
締付けねじヘッド２は、後で解明される目的のためシャンク５のその下端にねじを切られた部分で終わる垂直なシャンク５を備える。
【００１４】
また、発明は全体的に中空の六角形の形状の内側スリーブ７を備え、それはその下端でまた六角形の形状の複数の駆動平面８で終端する。内側スリーブ７はその長さを通して伸びる小窩、即ち穴８’含む。スリーブ７の上端に向かってねじを切られた部分９がある。
【００１５】
植え込まれたヘッド１０は六角形の形状の複数の駆動平面１３を備え、内側スリーブ７の駆動平面８と相互嵌め込みするように適合される。植え込み１１はシャンク５のねじを切られた部分６と作動的に相互結合するため、ねじを切られた部分１２を含む軸線方向の盲穴を備える。
【００１６】
また、本発明の組立体は外側の上方スリーブ部分１５および下方の外側スリーブ部分１４を備え、それらはまた内側スリーブ部材７の外面と滑動相互係合で協働できるような寸法および形状の六角形に配列された穴１４’および１５’を有する。
【００１７】
図１および２の実施例の使用において、図２から最もよく見られるように、植え込み１１は顎の穴または身体を通る他の骨(例えば、癌の手術中の顔の骨)などに固定される。植え込み１１は、その後骨の育ちすぎが所定の位置にそれを固定するまで穴に残ることができる。どこかで記述されたように、六角形の面１３は植え込みが全て正しく配列されることを保証することにおいて重要である。
【００１８】
植え込み１１が骨の中に固定された後およそ６カ月で、そのサイトの印象を取ることが必要である。しばしばこのサイトは口腔にあり、提案された歯の植え込みのどちらかの側の歯の印象を取ることが必要である。この印象を取るために、外面的に六角形の植え込み１１を利用して、図１および２に示された配列を使用することが必要である。その結果、締付けねじヘッド２が図２で示される内側のスリーブ７および外側のスリーブ１４および１５で組み立てられる。これはスリーブを固定するために植え込み１１のねじ１２に入るねじを切られた部分６により作用される。ここに、印象の物質は印象ジグと周囲のサイトにより形成され、硬くなることができる。印象構成の盛り上がりを残すことが締付けねじのためにもちろん必要であり、その結果それが次に回転されることができる。
【００１９】
印象物質が硬化された後、印象を取り除く前に印象ジグを取り外すことが必要である。これは内側のスリーブ７のねじを切られた部分９と相互係合するシャンク５のねじを切られた部分６が、そして内側スリーブ７が、締付けねじヘッド２に沿って引き抜かれる点に固定ねじ２を移動することによりなされる。一度内側スリーブが引き抜かれると、下方の外側スリーブの下端と外部の駆動平面１３の間でだけ、また外側上スリーブの上方および下方部分の間でだけある量の移動が可能である。外側スリーブの下方部分１４が少なくとも実質的に正常な位置に残り、外側スリーブの上方部分１５が印象構成の残りに沿って取り除くことができるので、印象は完全に取り外される。
【００２０】
外側スリーブの下方部分は印象ジグ組立体の長さのできるだけ半分に延在するように示されるが、もちろん外側スリーブの上方部分の長さの増加と比例してかなり短くしてもよい。スリーブの上方部分は印象物質の接着を容易にするためその上部にぎざぎさを付けられ（１６）てもよい。
【００２１】
図３を参照すると、同様な部材が上記図１および２に設定されたのと同様な数字を有し、その結果固定ねじが一般に同じでありさらに説明されないということ注意される。
【００２２】
植え込み２１は図１および２と同様な植え込みヘッド１０を備えるが、他方組立体２０は多少異なった形状である。
【００２３】
植え込み組立体２０は複数の駆動平面２２、この場合一般に六角形の構成で終端する下向きに内側に向けられているテーパー２４を含む。駆動平面２２はねじを切られた盲穴２３のそれらの下端に向かって終端する。テーパー２４は使用中部品を互いに相互適合することを容易にする。
【００２４】
また、組立体２０は必ずしも六角形の穴２７’でなくてもよい中空を有するスリーブ２７を含む。六角形の内側スリーブ２７の下端部は使用中植え込みの対応している駆動平面２２と協働し、従ってその軸線方向長さを通して全体的に六角形である内側スリーブ２７は植え込み２１および外側のスリーブ１４’および１５’の両方に相互適合する。
【００２５】
外側スリーブの上方および下方部分は図１および２に示されたものとわずかに異なった構成を有し、上方のスリーブは下方のスリーブ１４’より軸線方向に小さい。下方のスリーブ１４’の下端部は外側において内側に向けられたテーパー２５および選択的に肩２６で終端する。外側テーパー２５が植え込み２１の本体の対応している内側テーパー２４と相互適合することが認識される。
【００２６】
使用において、固定ねじ５のシャンクは内側スリーブ２７の穴を貫通し、シャンク５のねじを切られた部分は盲穴２３と協働し、その結果、締付けねじヘッド２は図２で示された配列に類似の形式で組立体を植え込み２１に引き締めさせる。締付けねじヘッド２が締められるとき、内側スリーブの外側駆動平面２８が植え込みの駆動平面２２と滑動隣接の状態になり、一方外側スリーブの下端部のテーパー面２５および植え込みのテーパー２４は、回転駆動力が印象ジグ２０の回転により植え込みに容易に適用され得るように滑動協働の状態になる。外部駆動平面はまたすべての後の部品の位置決めロケータ、例えば植え込み位置付けの最終段階中支台歯を提供する。
【００２７】
シャンク５に沿って締付けねじヘッド２の除去は、内側スリーブ２７が図１および２に記述されたのと類似の方法で締付けねじを除去できるので、外側スリーブの上方部分が除去されることを許容する。例えば内側スリーブは、ねじを切られた部分６を図２のように内側スリーブの頂部でねじを切られた部分９と係合させることにより除去することができる。印象は植え込み２１と相互結合されないから、これは印象が取り除かれることを許容する。いったん印象が取り外されると、下方の外側スリーブは回収されるかもしれない。
【００２８】
図４は本発明の実施例の他の組立体を示す。この実施例において、固定ねじ５が貫通する軸線方向の穴をそれぞれ有する上方および下方スリーブ部材３１および３２が備えられる。下方スリーブ部材３２は植え込み１０の対応するテーパーのある植え込み面３５と相互係合するように結合面３４に沿ってテーパーを付けられる。この実施例ににおいては内側スリーブは備えられない。
【００２９】
この場合、下部スリーブ部材および植え込みの協働テーパー面の結合、および固定ねじ５が所定位置にしっかりと組立体を保持するなら締付け動作により、前のように組立体は植え込みに結合される。印象物質が組立体の上に形成され、ヘッドが後に回転されることができるようにねじ５のヘッドを明確にしておく。印象物質が硬化したとき、固定ねじ５が取り外され、それにより上方のスリーブ部分も印象とともに除去されることができる。下方のスリーブ部分は植え込みに残る。
【００３０】
本発明の印象ジグは歯の植え込み手術のために特に役立つが、それらはまた、例えば事故または重要な手術の後に、身体の一部が１つまたは他の理由のために消失している際の再構成アプリケーションにも有用であることが認識されるであろう。
【図面の簡単な説明】
【図１Ａ】  下からの面の固定ねじを示す。
【図１Ｂ】  下からの側面の内側スリーブを示す。
【図１Ｃ】  僅かに上から図１Ｂの内側スリーブを見た図を示す。
【図１Ｄ】  本発明による植え込みの側面を示す。
【図１Ｅ】  下から見た側面の上方および下方外側スリーブ部分を示す。
【図２】  完全に相互係合された図１の配列の垂直断面図を示す。
【図３】  発明の別の実施例の一部断面で示された分解図を示す。
【図４】  本発明の他の実施例を示す。
【符号の説明】
２…ねじヘッド  ５…シャンク  ６…ねじを切られた部分  ７…内側スリーブ  １１…植え込み  １４、１５…外側スリーブ
【図１Ａ】
0004376484.tif 000002
【図１Ｂ】
0004376484.tif 000003
【図１Ｃ】
0004376484.tif 000004
【図１Ｄ】
0004376484.tif 000005
【図１Ｅ】
0004376484.tif 000006
【図２】
0004376484.tif 000007
【図３】
0004376484.tif 000008
【図４】
0004376484.tif 000009